(57)【特許請求の範囲】
【請求項１】
地中に埋設された貯水槽本体の上部に保守点検のためのマンホール筒が設けられ、該マンホール筒の上端開口部に閉塞板が着脱可能に取り付けられ、該閉塞板を貫通して設けられる吸水管を通して前記貯水槽本体に貯えた水道水を供給する非常用貯水装置において、
前記マンホール筒の周囲に設置され、上部に地面と同一平面に設けられるマンホール鉄蓋を有するマンホール側塊と、
前記吸水管を前記閉塞板上方のマンホール側塊内で分岐し、該マンホール側塊内に位置する分岐した一方の吸水管の端部および前記マンホール側塊の側方を貫通して地中を地面とほぼ平行に延設され、前記貯水槽本体が埋設されている場所から離れた地上部分に位置する分岐した他方の吸水管の端部のそれぞれに弁装置を介して設けられた接続部と、
前記マンホール側塊の内部に位置する吸水管に設けられた空気弁と、
開閉扉を有し、前記延設された吸水管の接続部が収容された収容体と、
を備えていることを特徴とする非常用貯水装置。
【発明の詳細な説明】
【０００１】
【発明の属する技術分野】
本発明は、例えば地震等の災害により水道本管がその機能を損ない、飲料水や消火用水の供給ができなくなった場合に、その内部の貯留水を飲料水や消火用水として供給するために地下に埋設された非常用貯水装置に関する。
【０００２】
【従来の技術】
この種の従来の非常用貯水装置としては、例えば実用新案登録第２５１２０７９号公報に開示されているものがある。
【０００３】
この従来の非常用貯水装置Ａは、図５に示すように、貯水槽本体Ｂに流入管Ｃと流出管Ｄが接続されており、公園や学校の校庭、あるいは駐車場などのある程度の広さを有した空間の地下に埋設されることが多い。
【０００４】
非常用貯水装置Ａは、密閉された円筒形の貯水槽本体Ｂに水道本管Ｐから分岐した流入管Ｃ、流出管Ｄが接続されて、貯水槽本体Ｂ内に水道水が貯留されており、貯留水は常時循環され、入れ替えが行われている。
【０００５】
水道本管Ｐの流入管Ｃと流出管Ｄとの分岐部Ｃ１、Ｄ１の間には遮断弁Ｅ１が設置され、また、流入管Ｃと流出管Ｄのそれぞれにも遮断弁Ｅ２、Ｅ３が設けられている。
【０００６】
常時には、水道本管Ｐの遮断弁Ｅ１は閉の状態で、遮断弁Ｅ２、Ｅ３は開の状態で使用される。
【０００７】
貯水槽本体Ｂの上部には、保守点検のための円筒形をしたマンホール筒Ｂ１が上向きに連設され、その上端開口部は閉塞板Ｂ２により常時は閉じられている。
【０００８】
閉塞板Ｂ２には、貯水槽本体Ｂ内部の貯留水を供給するための飲料水用吸水管Ｆと消火用吸水管Ｇと空気弁Ｈが取り付けられている。飲料水用吸水管Ｆと消火用吸水管Ｇとの下端開口部はそれぞれ貯水槽本体Ｂの底部付近に位置し、他端部は貯水槽本体より外側に突出しており、飲料水用吸水管Ｆの突出端部には、弁装置Ｆ２に続いて接続金具Ｆ１が設けられ、消火用吸水管Ｇの突出端部には、弁装置Ｇ２に続いて消防ねじ金具Ｇ１が設けられている。
【０００９】
マンホール筒Ｂ１の周囲には側壁Ｉが設置され、その上部には、地面と同じ高さにマンホール鉄蓋Ｊが設けられている。
【００１０】
常時における水道水は、水道本管Ｐから流入管Ｃを通じて貯水槽本体Ｂに流れ込み貯留され、流出管Ｄを通じて水道本管Ｐに流れ出しており、貯留水は循環し常に新しい水が蓄えられている。
【００１１】
非常時には、流入管Ｃと流出管Ｄの遮断弁Ｅ２、Ｅ３を閉じることにより貯水槽本体Ｂ内部の水道水の流出を防いで貯留水を確保し、マンホール鉄蓋Ｊを開けて、飲料水を供給する場合には、飲料水用吸水管Ｆの接続金具Ｆ１にポンプの接続金具を連結してポンプで貯留水を吸い上げて供給し、また、消火用水を供給する場合には、消火用吸水管Ｇの消防ねじ金具Ｇ１にポンプ車の消防ホースの消防ねじ金具を接続してポンプ車に消火用水を供給する。
【００１２】
【発明が解決しようとする課題】
このような非常用貯水装置において、非常時には前述のように、側壁の上部のマンホール鉄蓋を開け、吸水管の接続金具にポンプ等を接続して貯留水を供給するわけであるが、埋設されている非常用貯水装置の地上部分は、他の目的に使用されているのが一般的であって、マンホール鉄蓋の上部や周囲に、何らかの物や、駐車場の場合には車等が置かれていることがあり、マンホール鉄蓋を開けるためにそれらのものを移動しなければならず、貯留水を供給するまでに手間や時間を要するという問題を有していた。また、寒冷地における冬季には、積雪によりマンホール鉄蓋を開けるのに前述の場合と同じように手間や時間を要するという問題があり、さらに、マンホール鉄蓋の位置が積雪により不明になり探さなければならないという問題もあった。
【００１３】
本発明が解決しようとする課題は、上記問題を解決するためになされたもので、非常時において貯留水を迅速に供給することができる非常用貯水装置を提供する点にある。
【００１４】
【課題を解決するための手段】
上記課題を解決するために、本発明は、地中に埋設された貯水槽本体の上部に保守点検のためのマンホール筒が設けられ、該マンホール筒の上端開口部に閉塞板が着脱可能に取り付けられ、該閉塞板を貫通して設けられる吸水管を通して前記貯水槽本体に貯えた水道水を供給する非常用貯水装置において、
前記マンホール筒の周囲に設置され、上部に地面と同一平面に設けられるマンホール鉄蓋を有するマンホール側塊と、
前記吸水管を前記閉塞板上方のマンホール側塊内で分岐し、該マンホール側塊内に位置する分岐した一方の吸水管の端部および前記マンホール側塊の側方を貫通して地中を地面とほぼ平行に延設され、前記貯水槽本体が埋設されている場所から離れた地上部分に位置する分岐した他方の吸水管の端部のそれぞれに弁装置を介して設けられた接続部と、
前記マンホール側塊の内部に位置する吸水管に設けられた空気弁と、
開閉扉を有し、前記延設された吸水管の接続部が収容された収容体と、
を備えていることを特徴としている。
この特徴により、貯水槽本体の貯留水を吸い出す吸水管が地中に埋設されながら延設され、吸水管の端部に設けられた接続部が貯水槽本体が埋設されている場所より離れた位置の地上部に設けられているので、貯水槽本体の上方の地上部分を他の目的に使用されていても接続部は他に使用されることがない。よって、吸水管の接続部にポンプ等の接続部分をすばやく接続することができるので、非常時において迅速に貯水槽本体の貯留水を供給することができる。
【００１５】
また、貯水槽本体のマンホール筒を覆っているマンホール側塊の側方部分を吸水管が貫通しているので、吸水管はマンホール側塊の側方部分を避けて下方等に切り回されなくてよいので、吸水管の埋設深さが必要以上に深くすることがないので経済的な設置を行える。
【００１６】
また、吸水管に空気弁が設けられているので、吸水管内の空気を排出することができるので、貯水槽本体内の貯留水を効率良く吸い出すことができ、空気が吸水管の内部に蓄積されて吸水できなくなることを防ぐことができる。また、空気弁がマンホール側塊の内部に設けられているので新たな空気弁室を作る必要がなく経済的である。
【００１７】
また、接続部が２箇所に設けられているので一箇所の接続部が使用不能になっても他方の接続部にポンプ等を接続して貯水槽本体内部の貯留水を供給することができる。
【００１８】
更に、接続部は収容体の内部に設けられているので、接続部の周囲に接続に必要な空間が確実に確保され、非常時において迅速に接続を行い供給することができるようになる。
【００１９】
【発明の実施の形態】
以下、本発明の実施例を図面に基づいて説明する。
【００２０】
図１ないし図３は本発明の実施例を示すもので、１は地下に埋設された非常用貯水装置、２は円筒形に形成された貯水槽本体、３は水道本管Ｐから分岐した流入管、４は同じく水道本管Ｐから分岐した流出管、５は貯水槽本体２内の貯留水を吸い出す飲料水用吸水管、６は同じく貯水槽本体２内の貯留水を吸い出して消火用水として供給する消火用吸水管を示している。
【００２１】
貯水槽本体２は、筒の軸を水平方向にした円筒形の両端を鏡板で塞いだ密閉容器であり、１００ｍ3や６０ｍ3の容量を有しており、一方の端部寄りには流入管３が、他方の端部寄りには流出管４が、それぞれの開口端部を鏡板に向けて設けられている。
【００２２】
貯水槽本体２の上部の両端付近２箇所には、内部の保守点検をするために作業者が入れる大きさの円筒形をしたマンホール筒２ａが上向きに連設され、その上端開口部は閉塞板２ｂがボルト・ナットにより着脱可能に取り付けられている。閉塞板２ｂには、貯水槽本体２内部の貯留水を供給するための飲料水用吸水管５と消火用吸水管６が貫通して取り付けられており、また、貯水槽本体２の内部の空気を外に排出したり、吸水管５，６で吸水するときに外の空気を内部に取り入れる空気弁７が取り付けられている。
【００２３】
飲料水用吸水管５と消火用吸水管６との下端開口部はそれぞれ貯水槽本体２の底部付近に位置し、他端部は閉塞板２ｂより貯水槽本体２の外側に突出しており、飲料水用吸水管５の突出端部には、弁装置５ｂを介して接続金具５ａ（接続部）が設けられ、消火用吸水管６の突出端部には、弁装置６ｂを介して消防ねじ金具６ａ（接続部）が設けられている。
【００２４】
飲料水用吸水管５の弁装置５ｂと閉塞板２ｂの間に分岐部が設けられ、分岐部より水平方向に後述するマンホール側塊８を貫通して飲料水用吸水管５が延設されており、分岐部の下流側近傍に、空気弁５ｃが取り付けられている。延設された飲料水用吸水管５は地中に埋設され、所定の位置において立ち上がって地上に出され、その端部には弁装置５ｂを介して接続金具５ａが設けられている。地上に出てくる部分には二重管式の凍結防止処理５ｅが施され、立ち上がりの直前には不凍水抜き栓５ｄが設けられている。
【００２５】
消火用吸水管６も飲料水用吸水管５と同様に分岐され、空気弁６ｃと不凍水抜き栓６ｄが取り付けられて二重管式の凍結防止処理６ｅが施された立ち上がり部の先に弁装置６ｂを介して消防ねじ金具６ａが取り付けられている。
【００２６】
飲料水用吸水管５と消火用吸水管６の立ち上がり部は、貯水槽本体２が埋設されている用地の端の普段あまり使用されない位置にあり、開閉扉を有した格納庫１０（収容体）の内部に弁装置５ｂ、６ｂや接続金具５ａ、消防ねじ金具６ａが設けられている。
【００２７】
格納庫１０の内部には、吸水管５、６を通じて貯水槽本体２の貯留水を吸い上げるポンプや給水用の給水栓やそれらをつなぐホースなどが格納されている。
マンホール筒２ａの周囲にはマンホール側塊８が設置され、その上部には、地面と同一平面にマンホール鉄蓋９が設けられており、接続金具５ａ、消火ねじ金具６ａ、空気弁７、５ｃ、６ｃ等が収容される空間が地中部分に確保されている。
【００２８】
流入管３と流出管４との水道本管Ｐの分岐部の間には遮断弁Ｐ１が設置され常時は閉じた状態で使用されている。また、流入管３と流出管４のそれぞれにも遮断弁３ａ、４ａが設けられており、常時には開の状態で使用されている。遮断弁３ａ、４ａは、設定水圧以下に水圧が低下した時や設定流量以上の水道水が流れたときに自動的に閉止するものや、地震のゆれにより自動的に閉止するものが使用される場合が多い。
【００２９】
実施例の非常用貯水装置１における水道水は、常時、水道本管Ｐから流入管３を通じて貯水槽本体２に流れ込んで貯留されており、流出管４を通じて水道本管Ｐに流れ出すことにより、貯留水は循環し、常に新しい水が蓄えられている。
【００３０】
非常時に飲料水を供給するには、用地の片隅に設けられた格納庫１０の開閉扉１０ａを開けて、内部に設けられている飲料水用吸水管５の接続金具５ａに格納されていたポンプ、給水栓、ホースを接続する。接続終了後に弁装置５ｂを開けてポンプを作動させ貯水槽本体２に貯留されている水道水を吸い上げて給水栓より供給する。
【００３１】
消火用水を供給する場合には、同じように格納庫１０内に設けられた消防ねじ金具６ａにポンプ車のホースを接続し、弁装置６ｂを開放して消火用に貯水槽本体２に貯留されている水道水を供給する。
【００３２】
このように、吸水管５の接続金具５ａ、消防ねじ金具６ａが貯水槽本体２より離れた位置に設けられているので、貯水槽本体２の上方の地上部分を使用されていても吸水管の接続部にポンプ等をすばやく接続することができ、貯水槽本体内部の貯留水を吸い出して迅速に供給することができる。
【００３３】
また、吸水管５の接続金具５ａ、消防ねじ金具６ａが格納庫１０の内部に設けられているのでポンプ等の接続するための空間が確保されており、格納庫１０にポンプ、給水栓、ホース等を収容することができるので、供給に必要な部品のすばやい接続が可能であり、貯水槽本体内部の貯留水を吸い出して迅速に供給することができる。
【００３４】
以上、本発明の実施例を図面により説明してきたが、本発明の具体的な構成はこれに限定されるものではない。
【００３５】
実施例では、流出管側の吸水管からのみ延設されているが、流入管側の吸水管からも延設させてよい。
【００３６】
また、分岐個所が１個所設けられ接続部が２箇所であるが、分岐個所を増やして接続部を３箇所にしてもよい。
【００３７】
【発明の効果】
本発明によれば、貯水槽本体の貯留水を吸い出す吸水管が地中に埋設されながら延設され、吸水管の端部に設けられた接続部が貯水槽本体より離れた位置の地上部に設けられているので、貯水槽本体の上方の地上部分を他の目的に使用されていても接続部は他に使用されることがない。よって、吸水管の接続部にポンプ等の接続部分をすばやく接続することができるので、非常時において迅速に貯水槽本体の貯留水を供給することができる。
【００３８】
また、貯水槽本体のマンホール筒を覆っている包囲体の側方部分を吸水管が貫通しているので、吸水管は包囲体の側方部分を避けて下方等に切り回されなくてよいので、吸水管の埋設深さが必要以上に深くすることがないので経済的な設置を行える。
【００３９】
また、吸水管に空気弁が設けられているので、吸水管内の空気を排出することができるので、貯水槽本体内の貯留水を効率良く吸い出すことができ、空気が吸水管の内部に蓄積されて吸水できなくなることを防ぐことができる。また、空気弁が包囲体の内部に設けられているので新たな空気弁室を作る必要がなく経済的である。
【００４０】
また、接続部が２箇所に設けられているので一箇所の接続部が使用不能になっても他方の接続部にポンプ等を接続して貯水槽本体内部の貯留水を供給することができる。
【００４１】
更に、接続部は収容体の内部に設けられているので、接続部の周囲に接続に必要な空間が確実に確保され、非常時において迅速に接続を行い供給することができるようになる。
【００４２】
【図面の簡単な説明】
【図１】本発明の平面図である。
【図２】同じく、Ｉ−Ｉ断面図である。
【図３】同じく、ＩＩ−ＩＩ断面図である。
【図４】同じく、ＩＩＩ−ＩＩＩ断面図である。
【図５】従来例の（ａ）は平面図であり、（ｂ）は断面図である。
【符号の説明】
１          非常用貯水装置
２          貯水槽本体
２ａ        マンホール筒
２ｂ        閉塞板
３          流入管
３ａ        遮断弁
４          流出管
４ａ        遮断弁
５          飲料水用吸水管
５ａ        接続金具（接続部）
５ｂ        弁装置
５ｃ        空気弁
５ｄ        不凍水抜栓
５ｅ        凍結防止処理
６          消火用吸水管
６ａ        消防ねじ金具（接続部）
６ｂ        弁装置
６ｃ        空気弁
６ｄ        不凍水抜栓
６ｅ        凍結防止処理
７          空気弁
８          マンホール側塊（包囲体）
９          マンホール鉄蓋（包囲体）
１０        格納庫（収容体）
１０ａ      開閉扉
【図１】
0004557190.tif 000002
【図２】
0004557190.tif 000003
【図３】
0004557190.tif 000004
【図４】
0004557190.tif 000005
【図５】
0004557190.tif 000006